【事件の表示】
　平成　５年特許願第　８５２９６号「電子ファイリングシステム」拒絶査定に対する審判事件［平成　６年　９月３０日出願公開、特開平　６−２７４５８０］について、次のとおり審決する。
【結　論】
　本件審判の請求は、成り立たない。
【理　由】
１．手続の経緯・本願発明
　本願は、平成５年３月１９日の出願であって、その請求項１−６に係る発明は、平成１０年７月８日付け、平成１２年６月１９日付け、平成１２年１０月１６日付け、及び平成１３年２月９日付けの手続補正書で補正された明細書、並びに、図面の記載からみて、その特許請求の範囲の請求項１−６に記載されたとおりのものと認められるところ、その請求項１に係る発明（以下、「本願発明」という。）は、次のとおりである。
　　　
　「【請求項１】記録されている複数の画像とそれに対応した情報とを読取る読取手段と、前記画像に関する画像以外の情報を記録媒体に記録する記録手段とを備えた電子ファイリングシステムであって、
　前記複数の画像をモニタ画面に並べて表示させ、それらの各画像の中から画面上にて指定されることにより所望の画像を選択する第１の選択手段と、
　前記記録媒体中の記録領域を選択する第２の選択手段とを備え、
　前記記録手段は、前記第１の選択手段により選択された画像に関して、前記読取手段で読取られた画像についてその位置を示す情報と画像以外の関連情報とを、前記第２の選択手段によって選択された前記記録媒体中の記録領域に記録する
ことを特徴とする電子ファイリングシステム。」
　　
２．引用刊行物
　これに対し、原審における平成１２年８月４日付け拒絶理由通知書の拒絶の理由で引用された特開平４−７０７３３号公報（以下、「引用例１」という。）には、図面と共に次の各記載がある。
　
（ア）「［発明が解決しようとする課題］
　特開平１−２８９９４８号公報記載のカメラでは、カメラが本来内蔵しているセンサ等を利用して該センサから得られるデータを撮影画像と対応させて記憶することは可能であるが、上記データは撮影画像を検索するものではなく、従って検索するための手段が開示されていない。
　一方、メモリカードからファイリングシステムに転送する装置においても、メモリカード自体検索用情報が入力される構成とはなっておらず、従って検索用情報の付加は前記転送毎にマニュアル操作で行わねばならず，便利性の点で必ずしも充分とは言えない。
　本発明は上記の点に鑑みてなされたもので、撮影情報を撮影画像と共に自動的に記録し、検索条件に基づいて撮影画像を検索する撮影画像検索システムを提案することを目的にする。
［課題を解決するための手段］
　本発明は、撮影情報を撮影画像と共に記録媒体に記録するカメラと、上記記録媒体に記録された撮影画像の検索を行う検索機とから成り、上記検索機は、検索条件を入力する条件入力手段と、入力された検索条件と上記撮影情報とを照合して該当する撮影画像を抽出する検索手段とを備えたものである。
［作用］
　本発明によれば、カメラで撮影された画像はフィルムあるいはメモリ等に記録され、撮影情報はカメラに導かれ、そのときの撮影画像と対応付けられて上記フィルムあるいはメモリ等の記録媒体に自動的に記録される。一方、検索機では検索条件が入力されると、この検索条件と撮影情報とが順次照合され、上記検索条件に該当する撮影情報に対応する撮影画像が検索される。」（第１頁下右欄第１３行〜第２頁上右欄第６行）
　　　
（イ）「また、メモリカードＩ／Ｆ９はＣＰＵ２０の制御により、前記画像データ、音声データ及び各種撮影情報をカメラ本体に装着可能なＳＲＡＭあるいはＥ２ＰＲＯＭから成るメモリカード２６に記憶し、またメモリカード２６の使用状況（記憶領域の有無等）をＣＰＵ２０へ出力する。
　メモリカード２６に記憶された上記各撮影情報は、後述するようにファイリング時の検索用情報として利用される。」（第３頁下左欄第１〜９行）
　　　
（ウ）「以上の動作の後、画像データ、音声データ及び各センサ等から得られた検索用情報（撮影情報）がメモリカード２６に対応する形（第２７図参照）で書き込まれ（ステップ＃２９）、メモリカード２６の空き情報の更新がなされるとともにコマ番号を１だけカウントアップして（ステップ＃３０，ステップ＃３１）、次の撮影に備える。」（第５頁下右欄第１３〜１９行）
　　　
（エ）「第５図は、検索機能を備えた撮影画像の再生機の一例を示すブロック図である。
（以下、中略）
　ファイリング装置６１は光ディスク等の記録媒体とその駆動回路とから構成され、メモリカード２６内の記録画像を適宜記録する、いわゆるアルバムである。このファイリング装置６１はＣＰＵ５０により読出、書込制御され、及び画像、登録用検索情報を記録するとともに、ＣＰＵ５０に登録用検索情報及びディスク管理情報を出力する。」（第５頁下右欄第２０行〜第６頁上右欄第２０行）
（オ）「上記構成において、次に再生機側の処理を第６図〜第２２図のフローチャートにより説明する。
　メモリカード２６が再生機に挿入されると（ステップ＃４１）、該メモリカード２６内の記録画像が順次読出される（ステップ＃４２）。読出された記録画像は特殊再生処理部５２でマルチ画面用に再生処理された後、ＴＶモニタ５７にマルチ表示される（ステップ＃４３）。マルチ表示は、１枚のフレームに所定のコマ数、あるいはメモリカード２６内の記録画素数に応じて設定されるコマ数が割り当てられることにより行われる。
　次に，ＣＰＵ５０はマルチ画面内の画像の中からファイリング装置６１に登録を希望する画像の選択を受付け、続いてキーボード６２等により該当する画像のコマ番号を入力して選択が行われると（ステップ＃４４）、選択された画像について再度マルチ画像の表示が行われる（ステップ＃４５）。次に、ステップ＃４５で、カメラ側で入力された検索用情報の修正、追加の有無が判断される。この修正、追加の内容としては、話者判別の結果が誤って表示されている場合の人名修正や位置情報の修正、またコメント等の追加が例として挙げられる。
　検索用情報の修正等がない場合は（ステップ＃４６でＮＯ）、キーボード６２で登録処理を行うことにより前記画像及び検索用情報がメモリカード２６から消去される（ステップ＃４７、ステップ＃４８）。メモリカード２６はこの消去動作により空き領域が出来、新たな撮影画像の記録が可能となる。
　一方、修正等がある場合（ステップ＃４６でＹＥＳ）、キーボード６２や位置指定部材６３で修正等を要する画像が選択されると、その画像及び検索用情報がＴＶモニタの画面に表示される（ステップ＃４９、ステップ＃５０）。ユーザは画面を見ながら必要な修正や追加を行う（ステップ＃５１）。一つの画像について修正等が終了する毎にその他の画像に対して順次修正等の要否の問い掛けが行われる（ステップ＃５１からステップ＃４６へ戻る）。そして、必要な修正等が完了すると、ステップ＃４７に移行して登録処理が終了する。」（第６頁下右欄第４行〜第７頁上右欄第９行）
　
（カ）「第９図は検索処理のメインフローを示す。
　先ず、どの項目（条件）で検索するかをキーボード６２等により入力すると、ＣＰＵ５０は該検索項目と各画像乃至は検索情報とを照合し（ステップ＃８１）、合致した画像を順次メモリカードから取出してＴＶモニタ５７にマルチ表示させる（ステップ＃８２）。そして、マルチ表示された画像の中からユーザが希望する１または複数の画像の選択が行われる（ステップ＃８３）。現表示画面に対して選択が終了すると、前記検索項目に合致した画像を表示する他のマルチ画面全てが表示されたか否かが判別され（ステップ＃８４）、他のマルチ画面があれば現画面から次画面に更新される（ステップ＃８５）。そして、更新されるマルチ画面に対して画面選択が完了すると（ステップ＃８３、ステップ＃８４でＹＥＳ）、選択された画像が、後述するように所望の出力形態で出力される（ステップ＃８６）。」（第７頁下右欄第６行〜第８頁上左欄第３行）
　
（キ）「第２７図は、メモリカード２６のメモリマップの一例を示すもので、検索用情報エリア、画像データエリア、音声オン／オフ及び音声データエリアとからなる。また、この検索用情報エリアには上記エリアに対するスタートアドレス（Ｖｓｔａ，Ａｓｔａ）、エンドアドレス（Ｖｅｎｄ，Ａｅｎｄ）も書き込まれている。各エリアへの記録はＣＰＵ５０の指示により画像データ、音声データ、検索用情報の順に行われる。」（第１４頁下右欄第１１〜１９行）
　
（ク）「なお、本実施例においては、記録媒体としてデジタルメモリで説明したが、フロッピー等のアナログメモリでも良い。また、カメラと再生機とを別体としているが、一体型であってもよいい。更に、各センサから得られるデータを操作及び表示部２５にあるいは別個に設けられる表示部に表示するようにしてもよい。
　また、本実施例では電子スチルカメラを用いて説明したが、銀塩カメラに各センサを設け、周知の日付写し込み技術を利用して上記各センサの撮影情報を撮影画面内適所に写し込むようにしてもよい。この場合、再生機は光学式読取部、フィルム駆動部、メモリ及び本実施例に係る検索処理部等を有して成り、フィルム容器を該光学式読取部にセットし、順次あるいは指示されたコマの撮影画像や写し込まれた撮影情報をＣＣＤ等により読み取って電気信号として抽出し、メモリに記録するようにすればよい。そして、この取り込まれた撮影画像及び撮影情報により前述同様の件処理が実行されることになる。」（第１６頁上右欄第１３行〜同頁下左欄第１２行）
　
（ク）「［発明の効果］
　以上説明したように、本発明によれば、撮影情報が撮影画像と共に自動的に記録され、撮影画像の検索時に検索条件を入力すると、この入力された検索条件と撮影情報との照合が行われ、照合の結果、該当する撮影情報に対応する撮影画像が自動的に検索されるので、撮影時にキーボード等で撮影情報をマニュアル操作で入力する必要がないとともに、検索条件に基づいて撮影画像の検索を容易に行うことが出来る。」（第１６頁下左欄第１３行〜同頁下右欄第２行）
　　　
３．対比
　そこで、本願発明と引用例１に記載された発明とを対比すると、
　引用例１には、
　「本発明によれば、カメラで撮影された画像はフィルムあるいはメモリ等に記録され、撮影情報はカメラに導かれ、そのときの撮影画像と対応付けられて上記フィルムあるいはメモリ等の記録媒体に自動的に記録される。一方、検索機では検索条件が入力されると、この検索条件と撮影情報とが順次照合され、上記検索条件に該当する撮影情報に対応する撮影画像が検索される。」（前記（ア）参照。）、
　「メモリカードＩ／Ｆ９はＣＰＵ２０の制御により、前記画像データ、音声データ及び各種撮影情報をカメラ本体に装着可能なＳＲＡＭあるいはＥ２ＰＲＯＭから成るメモリカード２６に記憶し、またメモリカード２６の使用状況（記憶領域の有無等）をＣＰＵ２０へ出力する。
　メモリカード２６に記憶された上記各撮影情報は、後述するようにファイリング時の検索用情報として利用される。」（前記）（イ）参照。）
　「メモリカードＩ／Ｆ９はＣＰＵ２０の制御により、前記画像データ、音声データ及び各種撮影情報をカメラ本体に装着可能なＳＲＡＭあるいはＥ２ＰＲＯＭから成るメモリカード２６に記憶し、またメモリカード２６の使用状況（記憶領域の有無等）をＣＰＵ２０へ出力する。
　メモリカード２６に記憶された上記各撮影情報は、後述するようにファイリング時の検索用情報として利用される。」（前記（イ）参照。）
　「このファイリング装置６１は光ディスク等の記録媒体とその駆動回路とから構成され、メモリカード２６内の記録画像を適宜記録する、いわゆるアルバムである。このファイリング装置６１はＣＰＵ５０により読出、書込制御され、及び画像、登録用検索情報を記録するとともに、ＣＰＵ５０に登録用検索情報及びディスク管理情報を出力する。」（前記（エ）参照。）
　「メモリカード２６が再生機に挿入されると（ステップ＃４１）、該メモリカード２６内の記録画像が順次読出される（ステップ＃４２）。」（前記（オ）参照。）
との記載がなされており、これらの記載からみて、引用例１に記載された発明は、フィルムあるいはメモリカードに記録されている複数の画像とそれに対応した検索用情報とを読み取り、光ディスク等の記録媒体に記録しているであるから、明らかにフィルムあるいはメモリカードに記録されている複数の画像とそれに対応した検索用情報とを読取る読取手段と、フィルムあるいはメモリカードから読み取った情報を光ディスク等の記録媒体に記録する記録手段とを有するものである。
　また、引用例１に記載されている撮影画像検索システムは、電子ファイリングシステムであることも明かである（前記（ア）、（イ）、及び（エ）参照。）。
　したがって、本願発明と引用例１に記載された発明とは、
　「記録されている複数の画像とそれに対応した情報とを読取る読取手段と、前記画像に関する情報を記録媒体に記録する記録手段とを備えた電子ファイリングシステム」である点において差異はない。
　引用例１には、
　「メモリカード２６が再生機に挿入されると（ステップ＃４１）、該メモリカード２６内の記録画像が順次読出される（ステップ＃４２）。読出された記録画像は特殊再生処理部５２でマルチ画面用に再生処理された後、ＴＶモニタ５７にマルチ表示される（ステップ＃４３）。マルチ表示は、１枚のフレームに所定のコマ数、あるいはメモリカード２６内の記録画素数に応じて設定されるコマ数が割り当てられることにより行われる。
　次に，ＣＰＵ５０はマルチ画面内の画像の中からファイリング装置６１に登録を希望する画像の選択を受付け、続いてキーボード６２等により該当する画像のコマ番号を入力して選択が行われると（ステップ＃４４）、選択された画像について再度マルチ画像の表示が行われる（ステップ＃４５）。」（前記（オ）参照。）
　「先ず、どの項目（条件）で検索するかをキーボード６２等により入力すると、ＣＰＵ５０は該検索項目と各画像乃至は検索情報とを照合し（ステップ＃８１）、合致した画像を順次メモリカードから取出してＴＶモニタ５７にマルチ表示させる（ステップ＃８２）。そして、マルチ表示された画像の中からユーザが希望する１または複数の画像の選択が行われる（ステップ＃８３）。現表示画面に対して選択が終了すると、前記検索項目に合致した画像を表示する他のマルチ画面全てが表示されたか否かが判別され（ステップ＃８４）、他のマルチ画面があれば現画面から次画面に更新される（ステップ＃８５）。そして、更新されるマルチ画面に対して画面選択が完了すると（ステップ＃８３、ステップ＃８４でＹＥＳ）、選択された画像が、後述するように所望の出力形態で出力される（ステップ＃８６）。」（前記（カ）参照。）
との記載がなされており、これらの記載からみて、引用例１に記載された発明は、メモリカード２６内の複数の記録画像をＴＶモニタ５７に並べてマルチ表示させ、所望の画像を選択しているから、引用例１に記載された発明は、マルチ表示させた画像の中から所望の画像を選択する第１の選択手段を有するものである。
　したがって、本願発明と引用例１に記載された発明とは、
　「前記複数の画像をモニタ画面に並べて表示させ、それらの各画像の中から指定されることにより所望の画像を選択する第１の選択手段」を有する点で差異はない。
　引用例１には、
　「このファイリング装置６１は光ディスク等の記録媒体とその駆動回路とから構成され、メモリカード２６内の記録画像を適宜記録する、いわゆるアルバムである。このファイリング装置６１はＣＰＵ５０により読出、書込制御され、及び画像、登録用検索情報を記録するとともに、ＣＰＵ５０に登録用検索情報及びディスク管理情報を出力する。」（前記（エ）参照。）
との記載がなされており、この記載からみるに、引用例１に記載された発明は、光ディスク等の記録媒体中の記録領域を選択しているから、引用例１に記載された発明は、光ディスク等の記録媒体中の記録領域を選択する第２の選択手段を有するものである。
　したがって、本願発明と引用例１に記載された発明とは、
　「前記記録媒体中の記録領域を選択する第２の選択手段」を有する点で差異はない。
　引用例１には、
　「ファイリング装置６１は光ディスク等の記録媒体とその駆動回路とから構成され、メモリカード２６内の記録画像を適宜記録する、いわゆるアルバムである。このファイリング装置６１はＣＰＵ５０により読出、書込制御され、及び画像、登録用検索情報を記録するとともに、ＣＰＵ５０に登録用検索情報及びディスク管理情報を出力する。」（前記（エ）参照。）
　「メモリカード２６が再生機に挿入されると（ステップ＃４１）、該メモリカード２６内の記録画像が順次読出される（ステップ＃４２）。読出された記録画像は特殊再生処理部５２でマルチ画面用に再生処理された後、ＴＶモニタ５７にマルチ表示される（ステップ＃４３）。マルチ表示は、１枚のフレームに所定のコマ数、あるいはメモリカード２６内の記録画素数に応じて設定されるコマ数が割り当てられることにより行われる。
　次に，ＣＰＵ５０はマルチ画面内の画像の中からファイリング装置６１に登録を希望する画像の選択を受付け、続いてキーボード６２等により該当する画像のコマ番号を入力して選択が行われると（ステップ＃４４）、選択された画像について再度マルチ画像の表示が行われる（ステップ＃４５）。次に、ステップ＃４５で、カメラ側で入力された検索用情報の修正、追加の有無が判断される。この修正、追加の内容としては、話者判別の結果が誤って表示されている場合の人名修正や位置情報の修正、またコメント等の追加が例として挙げられる。
　検索用情報の修正等がない場合は（ステップ＃４６でＮＯ）、キーボード６２で登録処理を行うことにより前記画像及び検索用情報がメモリカード２６から消去される（ステップ＃４７、ステップ＃４８）。メモリカード２６はこの消去動作により空き領域が出来、新たな撮影画像の記録が可能となる。
　一方、修正等がある場合（ステップ＃４６でＹＥＳ）、キーボード６２や位置指定部材６３で修正等を要する画像が選択されると、その画像及び検索用情報がＴＶモニタの画面に表示される（ステップ＃４９、ステップ＃５０）。ユーザは画面を見ながら必要な修正や追加を行う（ステップ＃５１）。一つの画像について修正等が終了する毎にその他の画像に対して順次修正等の要否の問い掛けが行われる（ステップ＃５１からステップ＃４６へ戻る）。そして、必要な修正等が完了すると、ステップ＃４７に移行して登録処理が終了する。」（前記（オ）参照。）
との記載がなされており、これらの記載からみるに引用例１に記載された発明は、ＴＶモニタにマルチ表示された複数の画面の中から所望の画像を選択し、選択した画像に対応するフィルムまたはメモリカードから読み取った画像についての情報と該画像に関連する情報とを光ディスク等の記録媒体中の記録領域に記録するものである。
　したがって、本願発明と引用例１に記載された発明とは、
　「前記記録手段は、前記第１の選択手段により選択された画像に関して、前記読取手段で読取られた画像についての情報と関連情報とを、前記第２の選択手段によって選択された前記記録媒体中の記録領域に記録することを特徴とする電子ファイリングシステム。」
である点で差異はない。
　
（一致点）
　してみると、本願発明と引用例１に記載された発明とは、
　「記録されている複数の画像とそれに対応した情報とを読取る読取手段と、前記画像に関する情報を記録媒体に記録する記録手段とを備えた電子ファイリングシステムであって、
　前記複数の画像をモニタ画面に並べて表示させ、それらの各画像の中から指定されることにより所望の画像を選択する第１の選択手段と、
　前記記録媒体中の記録領域を選択する第２の選択手段とを備え、
　前記記録手段は、前記第１の選択手段により選択された画像に関して、前記読取手段で読取られた画像についての情報と関連情報とを、前記第２の選択手段によって選択された前記記録媒体中の記録領域に記録する
ことを特徴とする電子ファイリングシステム。」
である点で一致しており、次の２点で相違する。　　
（相違点１）
　モニタ画面に並べて表示された複数の画像を選択する手段が、
　本願発明は、「画面上にて指定されることにより選択する」のに対して、
　引用例１に記載された発明は、「キーボード等により該当する画像のコマ番号を入力して選択する」点。
　　
（相違点２）
　記録媒体中の記録領域に記録する情報が、
　本願発明は、画像の位置を示す情報と画像以外の関連情報であるのに対して、
　引用例１に記載された発明は、画像情報と検索用情報（画像以外の関連情報に相当）である点。
　
４．当審の判断
（相違点１について）
　そこで、前記相違点１について検討すると、
　電子ファイリングシステムにおいて、モニタ画面に並べて表示された複数の画像の中から所望の画像をマウス等のポインテイングデバイスを用いて画面上にて指定することにより選択することは、
（ａ）特開平３−２２０６７１号公報
（ｂ）特開平３−２５４５７０号公報
（ｃ）特開平４−２３７３７６号公報
等に示される如く周知慣用されている技術常識であるから、該周知慣用されている技術を引用例１に記載された発明に転用することに格別の創意工夫が必要とされず、当業者が適宜なし得ることである。
　
（相違点２について）
　次に、前記相違点２について検討する。
　まず、当業者の技術常識ともいえる事項について述べるに以下のとおりである。
（技術常識）
　複数の画像ファイルから成る画像データベースを利用して、画像を並べ替えたり組み合わせたりして画像の編集をするときには、普通、画像データの内容そのもの自体を操作して並べ替えることは行われることはなく、すなわち画像データベースの構造そのものを操作することはなく、画像ファイルのキー（例えば、画像ファイルネームや画像ファイル番号、そして画像ファイルネームや画像ファイル番号にはデータベースにおけるファイルのアドレスが一対一に対応している。）を並べ替えることが周知慣用されている。
　何となれば、画像の内容自体を操作して並べ替えを実行することも原理的に可能ではあるが、そのようにすると、並べ替えるべき画像のデータ量が大きいから編集に要する時間が膨大になるという欠点があり、通常は行われない。
　並べ替え等の編集処理実行後には、複数の画像から編集された画像ファイル群は、画像ファイルネームや画像ファイル番号（ファイルの先頭アドレス）の集合から構成されることになり、非常にデータ量の小さいものとなる。この新たに作られたファイルにもファイルネームが付けられる。
　そして、画像データの内容を取得しモニタに表示するときには、新たに作られたファイル内の画像ファイルネームや画像ファイル番号からその画像ファイルが存在するアドレスを得て、このアドレスを基に画像データベースにアクセスし画像データの内容を取得することになる。
　新たなファイルネームを与えられた編集後の画像ファイルを、画像データベースの中に格納するか若しくは別の記憶媒体に格納するようにするかは、システム設計者が適宜決定すべき設計事項とされており、一般には、新たに作成されたファイルは、データベースとは異なる記憶媒体に記憶されることが多い。
　以上のことは、例えば、各種データベース構築に関するテキスト、及びオペレーティングシステムのファイル管理（例えば、ＭＳ／ＤＯＳのファイル管理）に関するマニュアル等に記載されている。
　次に、周知刊行物について述べるに以下のとおりである。
（周知刊行物１）
　本件出願前に公開された公表特許公報昭和６２−５０００６５号には、
　コンテナ１２は、２５枚のフレーム画像と該画像に関連する情報を格納可能な３０個のビデオ・ディスク１０を有し画像データベースを構成しており、一方アルバムは、コンテナ１２内のビデオ・ディスクのディスク番号及びビデオ・デスク１０内に記憶されている画像のフレーム番号を記憶しており、所望のアルバムに記憶されているデイスク番号及びフレーム番号に対応する画像を見るときには、タイトルを指定しタイトルに対応するアルバムを選択し、アルバムに記憶されているビデオ・ディスク番号及びフレーム番号を基にコンテナ１２のビデオ・デスク１０にアクセスし所望の画像内容及び関連情報を取得しモニタテレビジョン１８に表示するファイル・オペレーティング・システム２８８が記載されている。（特に、図面第１図及び関連説明参照。）
（周知刊行物２）
　本件出願前に公開された特開平４−２３７３７６号公報には、原画像と検索用の情報である縮小画像とは別の光ディスクに記憶することが記載されている。（第４頁左欄段落【００１４】参照。）
　
（相違点２についての判断）
　先ず、前記した技術常識に鑑みると、電子ファイリングシステムや画像データベースにおいて画像を検索する際、画像ファイルの先頭アドレスに一対一に対応している画像ファイルのキー（例えば、ファイルネーム）を原画像とは別の記録媒体に記憶しておき、該キー（本願発明の画像についてその位置を示す情報に相当）を基に所望の画像を検索するようにすることは当業者には周知慣用されている技術事項であると言うことができ、
　次に、前記周知刊行物１及び２に記載された事項に鑑みると、
　周知刊行物１（公表特許公報昭和６２−５０００６５号）に記載された発明の「コンテナ１２のビデオ・ディスク１０に記憶されている画像データ」、「アルバムに記憶されているディスク番号やフレーム番号」、及び「アルバム」は、それぞれ、本願発明の「記憶されている複数の画像」、「画像についてその位置を示す情報」、及び「記録媒体」に相当することは明かであり、しかも原画像が記憶されているビデオ・ディスク１０と、ビデオ・ディスク番号及びフレーム番号が記憶されているアルバムとは、別記憶媒体とすることが明示されており、
　また、周知刊行物２（特開平４−２３７３７６号公報）に記載された発明の「原画像」及び「検索用の情報である縮小画像」は、それぞれ、本願発明の「記憶されている複数の画像」及び「関連情報」に相当することは明かであり、しかも原画像が記憶されている光ディスクと、検索用の情報である縮小画像が記憶されている光ディスクとを別記憶媒体とすることが記載されているから、
　したがって、画像の位置を示す情報と画像以外の関連情報とを、原画像が記録されている媒体とは別の記憶媒体に記憶することは、当業者が前記技術常識及び前記周知事項とに基づいて適宜なし得る設計事項にすぎないものと認められ、この点に格別の創意工夫があるとは言えない。
　
５．むすび
　以上のとおりであるので、本願発明は、引用例１に記載された発明及び周知技術とに基いて、当業者が容易に発明をすることができたものと認められ、特許法第２９条第２項の規定により特許を受けることができない。
　よって、結論のとおり審決する。